(57)【要約】【課題】  ＤＦＤ（Depth-Fused3-D）方式あるいは２面重畳表示方式の３次元表示装置においてディスプレイを有効に活用する。【解決手段】  観察者から見て異なった奥行き位置に配置される複数の表示面を有する３次元表示装置であって、前記各表示面が奥行き方向に重なり合う状態と、前記各表示面が奥行き方向に重ならず独立した複数の表示面となる状態とに変化させる変化手段を有する。前記変化手段は、表示面をスライドさせる構造、あるいは表示面を折り畳む構造である。【選択図】        図３
2006215256.tif 000002
【特許請求の範囲】
【請求項１】
観察者から見て異なった奥行き位置に配置される複数の表示面を有する３次元表示装置であって、
前記観察者から見て前記各表示面が奥行き方向に重なり合う状態と、前記観察者から見て前記各表示面が奥行き方向に重ならず独立した複数の表示面となる状態とに変化させる変化手段を有することを特徴とする３次元表示装置。
【請求項２】
前記変化手段は、表示面をスライドさせる構造であることを特徴とする請求項１に記載の３次元表示装置。
【請求項３】
前記変化手段は、表示面を折り畳む構造であることを特徴とする請求項１に記載の３次元表示装置。
【請求項４】
前記表示面として液晶表示パネルを用い、前記各表示面が奥行き方向に重ならず独立した複数の表示面となる時には、各々の液晶表示パネルの前後の光軸上に隣接して各々偏光板が存在することを特徴とする請求項２または請求項３に記載の３次元表示装置。
【請求項５】
前記表示面として液晶表示パネルを用い、前記各表示面が奥行き方向に重なり合った状態の時には、各々の液晶表示パネルの前後の光軸上に隣接して各々偏光板が存在することを特徴とする請求項２または請求項３に記載の３次元表示装置。
【請求項６】
前記表示面として液晶表示パネルを用い、前記各表示面が奥行き方向に重なり合った状態の時には、最前面の液晶表示パネルの前の光軸上に隣接して複数の偏光板が存在し、最後面の液晶表示パネルの後ろの光軸上に隣接して複数の偏光板が存在することを特徴とする請求項２または請求項３に記載の３次元表示装置。
【請求項７】
前記複数の表示面に、前記複数の表示面に対して表示対象物体を前記観察者の視線方向から射影した複数の２次元像をそれぞれ表示し、当該表示される２次元像の輝度あるいは透過度を前記表示面毎にそれぞれ独立に変化させて、３次元立体像を表示することを特徴とする請求項１ないし請求項６のいずれか１項に記載の３次元表示装置。
【発明の詳細な説明】
【技術分野】
【０００１】
本発明は、３次元表示装置に係り、特に、ＤＦＤ（Depth-Fused3-D）方式あるいは２面重畳表示方式の３次元表示装置においてディスプレイを有効に活用するための技術に関する。
【背景技術】
【０００２】
本発明者らは、立体視の生理的要因間での矛盾を抑制でき、かつ、簡便に、立体メガネを用いないで３次元表示が可能な、ＤＦＤ（Depth-Fused3-D）方式の３次元表示装置を提案している（下記特許文献１、特許文献２参照）。
前述した提案済みの３次元表示装置は、複数の表示面に２次元像を表示し、この複数の表示面に表示される２次元像の、輝度あるいは透過度を各表示面毎に変化させて３次元立体像を表示するものである。
【０００３】
なお、本願発明に関連する先行技術文献としては以下のものがある。
【特許文献１】特許第３０２２５５８号明細書
【特許文献２】特許第３４６０６７１号明細書
【発明の開示】
【発明が解決しようとする課題】
【０００４】
従来のＤＦＤ方式あるいは２面重畳表示方式の３次元表示装置では、前後に複数面の表示装置を積層した構造であり、単なる２次元表示の時には、どちらか一方の表示装置のみを利用して表示するため、一方の表示装置は表示には利用することができなかった。
本発明は、前記従来技術の問題点を解決するためになされたものであり、本発明の目的は、ＤＦＤ（Depth-Fused3-D）方式あるいは２面重畳表示方式の３次元表示装置においてディスプレイを有効に活用する技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の目的を達成するために、本発明は、観察者から見て異なった奥行き位置に配置される複数の表示面を有する３次元表示装置であって、前記各表示面が奥行き方向に重なり合う状態と、前記各表示面が奥行き方向に重ならず独立した複数の表示面となる状態とに変化させる変化手段を有することを特徴とする。
また、本発明では、前記変化手段は、表示面をスライドさせる構造、あるいは、表示面を折り畳む構造であることを特徴とする。
【０００６】
また、本発明では、前記表示面として液晶表示パネルを用い、前記各表示面が奥行き方向に重ならず独立した複数の表示面となる時には、各々の液晶表示パネルの前後の光軸上に隣接して各々偏光板が存在することを特徴とする。
また、本発明では、前記表示面として液晶表示パネルを用い、前記各表示面が奥行き方向に重なり合った状態の時には、各々の液晶表示パネルの前後の光軸上に隣接して各々偏光板が存在することを特徴とする。
また、本発明では、前記表示面として液晶表示パネルを用い、前記各表示面が奥行き方向に重なり合った状態の時には、最前面の液晶表示パネルの前の光軸上に隣接して複数の偏光板が存在し、最後面の液晶表示パネルの後ろの光軸上に隣接して複数の偏光板が存在することを特徴とする。
【発明の効果】
【０００７】
本願において開示される発明のうち代表的なものによって得られる効果を簡単に説明すれば、下記の通りである。
本発明の３次元表示装置によれば、２面の２次元表示装置をスライドあるいは折り畳むことで、ＤＦＤ方式あるいは２面重畳表示方式の３次元表示装置の構成となり、限られた２面のディスプレイを有効に活用することが可能となる。
【発明を実施するための最良の形態】
【０００８】
以下、図面を参照して本発明の実施例を詳細に説明する。
なお、実施例を説明するための全図において、同一機能を有するものは同一符号を付け、その繰り返しの説明は省略する。
始めに、ＤＦＤ型の３次元表示装置について説明する。
［ＤＦＤ型の３次元表示装置の一例］
図９は、ＤＦＤ型の３次元表示装置の一例を説明するための図である。
図９に示す３次元表示装置は、観察者１５０の前面に複数の面、例えば、表示面（１５１，１５２）（表示面１５１が表示面１５２より観察者１５０に近い）を設定し、これらの表示面（１５１，１５２）に複数の２次元像を表示するために、２次元表示装置と種々の光学素子を用いて光学系１５３を構築する。
前記２次元表示装置としては、例えば、ＣＲＴ、液晶ディスプレイ、ＬＥＤディスプレイ、プラズマディスプレイ、ＥＬディスプレイ、ＦＥＤディスプレイ、ＤＭＤ、プロジェクション方式ディスプレイ、オシロスコープのような線描画型ディスプレイなどを用い、光学素子としては、例えば、レンズ、全反射鏡、部分反射鏡、曲鏡、プリズム、偏光素子、波長板などを用いる。
なお、図９は、前述の特許文献１に記載されているものと同じ構成のものであり、また、この表示面の設定方法については、前述の特許文献１を参照されたい。
図９に示す３次元表示装置では、図１０に示すように、観察者１５０に提示したい３次元物体１５４を、観察者１５０の両眼の視線方向から、前述の表示面（１５１，１５２）へ射影した像（以下、「２Ｄ化像」と呼ぶ）（１５５，１５６）を生成する。
この２Ｄ化像の生成方法としては、例えば、視線方向から３次元物体１５４をカメラで撮影した２次元像を用いる方法、あるいは別の方向から撮影した複数枚の２次元像から合成する方法、あるいはコンピュータグラフィックによる合成技術やモデル化を用いる方法など種々の方法がある。
【０００９】
図９に示すように、前記２Ｄ化像（１５５，１５６）を、各々表示面１５１と表示面１５２の双方に、観察者１５０の右眼と左眼とを結ぶ線上の一点から見て重なるように表示する。これは、例えば、２Ｄ化像（１５５，１５６）の各々の中心位置や重心位置の配置と、各々の像の拡大・縮小を制御することで可能となる。
かかる構成を有する装置上で、２Ｄ化像（１５５，１５６）の各々の輝度を、観察者１５０から見た総体的な輝度を一定に保ちつつ、３次元物体１５４の奥行き位置に対応して変えることで、３次元物体１５４の３次元立体像を表示する。
その２Ｄ化像（１５５，１５６）の各々の輝度の変え方の一例について説明する。なお、ここでは、白黒図面であるため、分かりやすいように、以下の図面では、輝度の高い方を濃く示してある。
例えば、３次元物体１５４が表示面１５１上にある場合には、図１１に示すように、この上の２Ｄ化像１５５の輝度を３次元物体１５４の輝度に等しくし、表示面１５２上の２Ｄ化像１５６の輝度はゼロとする。
次に、例えば、３次元物体１５４が観察者１５０より少し遠ざかって表示面１５１より表示面１５２側に少し寄った位置にある場合には、図１２に示すように、２Ｄ化像１５５の輝度を少し下げ、２Ｄ化像１５６の輝度を少し上げる。
【００１０】
次に、例えば、３次元物体１５４が観察者１５０よりさらに遠ざかって表示面１５１より表示面１５２側にさらに寄った位置にある場合には、図１３に示すように、２Ｄ化像１５５の輝度をさらに下げ、２Ｄ化像１５６の輝度をさらに上げる。
さらに、例えば、３次元物体１５４が表示面１５２上にある場合には、図１４に示すように、この上の２Ｄ化像１５６の輝度を３次元物体１５４の輝度に等しくし、表示面１５１上の２Ｄ化像１５５の輝度はゼロとする。
このように表示することにより、観察者（人）１００の生理的あるいは心理的要因あるいは錯覚により、表示しているのが２Ｄ化像（１５５，１５６）であっても、観察者１５０にはあたかも表示面（１５１，１５２）の中間に３次元物体１５４が位置しているように感じられる。
例えば、表示面（１５１，１５２）にほぼ等輝度の２Ｄ化像（１５５，１５６）を表示した場合には、表示面（１５１，１５２）の奥行き位置の中間付近に３次元物体１５４があるように感じられる。この場合に、この３次元物体１５４は、観察者１５０には立体感を伴って知覚される。
【００１１】
なお、前記説明においては、例えば、３次元物体全体の奥行き位置を、例えば、表示面（１５１，１５２）に表示した２次元像を用いて表現する方法について主に述べたが、図９に示す３次元表示装置は、例えば、３次元物体自体が有する奥行きを表現する方法としても使用できることは明らかである。
３次元物体自体が有する奥行きを表現する場合における重要な要点は、図９に示す構成を有する装置上で、２Ｄ化像（１５５，１５６）の各々の部位の輝度を、観察者１５０から見た総体的な輝度を一定に保ちつつ、３次元物体１５４の各部位が有する奥行き位置に対応して変えることである。
なお、前述の説明では、２次元像を配置する面の中で主に２つの面に関してのみ記述し、かつ観察者に提示する物体が２つの面の間にある場合について述べたが、２次元像を配置する面の個数がこれよりも多く、あるいは提示する物体の位置が異なる場合であっても、同様な手法により３次元立体像を表示することが可能であることは明らかである。
例えば、面が３つで、観察者１５０に近い面と、中間の面との間に第１の３次元物体が、中間の面と、観察者１５０に遠い面との間に第２の３次元物体が存在する場合には、観察者１５０に近い面と、中間の面とに、第１の３次元物体の２Ｄ化像を表示し、中間の面と、観察者１５０に遠い面とに第２の３次元物体の２Ｄ化像を表示することで、第１および第２の３次元物体の３次元立体像を表示することができる。
【００１２】
さらに、２Ｄ化像が３次元的に移動する場合に関しては、観察者の左右上下方向への移動に関しては通常の２次元表示装置の場合と同様に表示面内での動画再生によって可能であり、奥行き方向への移動に関しては、２Ｄ化像（１５５，１５６）の各々の輝度を、観察者１５０から見た総体的な輝度を一定に保ちつつ、３次元立体像の奥行き位置の時間的変化に対応して変化させることにより、３次元像の動画を表現できることは明らかである。
例えば、３次元立体像が表示面１５１より表示面１５２まで時間的に移動する場合について説明する。
３次元立体像が表示面１５１上にある場合には、図１１に示すように、表示面１５１上の２Ｄ化像１５５の輝度を３次元立体像の輝度に等しくし、表示面１５２上の２Ｄ化像１５６の輝度はゼロとする。
次に、例えば、３次元立体像が、次第に観察者１５０より時間的に少し遠ざかり、表示面１５１より表示面１５２側に時間的に少し寄ってくる場合には、図１２に示すように、３次元立体像の奥行き位置の移動に対応させて２Ｄ化像１５５の輝度を時間的に少し下げ、かつ２Ｄ化像１５６の輝度を時間的に少し上げる。
【００１３】
次に、例えば、３次元立体像が観察者１５０より時間的にさらに遠ざかり、表示面１５１より表示面１５２側にさらに寄った位置に時間的に移動する場合には、図１３に示すように、３次元立体像の奥行き位置の移動に対応させて２Ｄ化像１５５の輝度を時間的にさらに下げ、かつ２Ｄ化像１５６の輝度を時間的にさらに上げる。
さらに、例えば、３次元立体像が表示面１５２上まで時間的に移動してきた場合には、図１４に示すように、３次元立体像の奥行き位置の移動に対応させてこの上の２Ｄ化像１５６の輝度を３次元立体像の輝度に等しくなるまで時間的に変化させ、かつ表示面１５１上の２Ｄ化像１５５の輝度がゼロとなるまで変化させる。
このように表示することにより、人の生理的あるいは心理的要因あるいは錯覚により、表示しているのが２Ｄ化像（１５５，１５６）であっても、観察者１５０にはあたかも表示面（１５１，１５２）の間を、表示面１５１から表示面１５２に３次元立体像が奥行き方向に移動するように感じられる。
【００１４】
なお、前述の説明では、３次元立体像が表示面１５１から表示面１５２まで移動する場合について述べたが、これが表示面（１５１，１５２）の間の途中の奥行き位置から表示面１５２まで移動する場合や、表示面１５１から表示面（１５１，１５２）の間の途中の奥行き位置まで移動する場合や、表示面（１５１，１５２）の間の途中の奥行き位置から表示面（１５１，１５２）の間の途中の別な奥行き位置まで移動する場合であっても、同様なことが可能なことは明らかである。
なお、前述の説明では、２Ｄ化像を配置する面の中で主に２つの面に関してのみ記述し、かつ観察者１５０に提示する３次元立体像が２つの面の間を移動する場合について述べたが、２次元像を配置する面の個数がこれよりも多く、あるいは提示する３次元物体が複数の面をまたがって移動する場合であっても、同様な手法により、３次元立体像を表示可能であり、同様な効果が期待できることは明らかである。
また、前述の説明では、１個の３次元立体像が２次元像を配置する二つの面内で移動する場合について説明したが、複数個の３次元物体が移動する場合、即ち、表示される２次元像が、それぞれ移動方向の異なる複数の物体像を含む場合には、各表示面に表示される物体像の輝度を、物体像毎に、その物体の移動方向および移動速度に応じて変化させればよいことは明らかである。
【００１５】
［実施例１］
図１は、本発明の実施例１の３次元表示装置の概略構成を示す図である。
本実施例では、前面用と後面用の表示面として、液晶表示パネル（以下、ＬＣＤパネル）１００とＬＣＤパネル１０１を配置する。また、ＬＣＤパネル１００の両面に偏光軸を直行させた偏光板（１２０，１２１）を配置し、ＬＣＤパネル１０１の両面に偏光軸を直行させた偏光板（１２２，１２３）を配置する。
この時に、ＬＣＤパネル１００とＬＣＤパネル１０１の間に位置する偏光板１２１および偏光板１２２は、偏光軸の方向を一致させる。
背面には、バックライト１１０とバックライト１１１の２つのバックライトを重ね合わせて配置する。即ち、ＬＣＤパネルの数が増加することによる輝度の低下を改善するために、バックライトを積層して輝度を増加させる。
ここで、バックライト１１０は、背面からの光も透過させることのできる透過型の構造のものとする。透過型のバックライトとしては、側面に配置した光源を導光板にて反射させる構造の導光板方式のバックライト（サイドライト型のバックライトともいう）などが利用できる。
図１に示すように、全てが重なり合った状態で画像を表示すると、前後２面の透過度を変化させて３次元表示を行う前述のＤＦＤ方式の３次元表示装置や、個別の画像を奥行き方向に重ね合わせた２面重畳表示方式の３次元表示装置となる。
【００１６】
図２に示すように、全てが重なり合った状態からＬＣＤパネル１０１と偏光板（横）１２２、偏光板（縦）１２３、バックライト１１０を重なり合わない場所までスライドさせることで、ＬＣＤパネル１００とＬＣＤパネル１０１は、各々が従来のＬＣＤディスプレイと同様な構成となり、独立した２面の通常の２次元表示装置として利用することができるようになる。
なお、バックライト１１０として、透過型のバックライトを利用せずに、不透過な通常のバックライトを利用し、３次元表示の時は１つのバックライトのみで輝度を増加させ、２次元表示の時にはバックライトの輝度を低下させる、あるいは明るい２次元表示を行うなどの構成も考えられる。
また、図３に示すように、完全にスライドさせずに重なり合う部分が残っている状態までスライドさせた場合には、重なり合った部分では、ＤＦＤ方式あるいは２面重畳表示方式の３次元表示装置となり、その他の部分は独立した２次元表示装置として利用ができる。
このようなスライドさせる構成にすることで、例えば、限られたスペースにディスプレイを搭載する携帯電話機や携帯ゲーム機などの携帯型端末のディスプレイなどに応用することで、２面が必要な３次元表示をしない場合には２面を平面的に展開して２次元表示をすることが可能となり、２面の表示装置の有効活用が可能となる。
なお、本実施例は、ＬＣＤパネルを用いた例で説明をしたが、偏光を利用しない他の方式による透明なディスプレイ（ＬＥＤデバイスなど）の場合には偏光板は不要である。
【００１７】
［実施例２］
図４は、本発明の実施例２の３次元表示装置の概略構成を示す図である。
本実施例でも、前面用と後面用の表示面として、ＬＣＤパネル２００とＬＣＤパネル２０１を配置し、前面のＬＣＤパネル２００の前面に、偏光軸の方向が同じである２枚の偏光板（２２０，２２１）を配置し、後面のＬＣＤパネル２０１の後面に偏光軸が同じであある２枚の偏光板（２２２，２２３）を配置する。
この時に、ＬＣＤパネル２００の前面に位置する２枚の偏光板（２２０，２２１）の偏光軸の方向と、ＬＣＤパネル２０１の後面に位置する２枚の偏光板（２２２，２２３）の偏光軸の方向とを直交させる。
背面には、バックライト２１０とバックライト２１１の２つのバックライトを重ね合わせて配置する。即ち、ＬＣＤパネルの数が増加することによる輝度の低下を改善するために、バックライトを積層して輝度を増加させる。
ここで、バックライト２１０は、背面からの光も透過させることのできる透過型の構造のものとする。透過型のバックライトとしては、側面に配置した光源を導光板にて反射させる構造の導光板方式のバックライトなどが利用できる。
図４に示すように、全てが重なり合った状態で画像を表示すると、前後２面の透過度を変化させて３次元表示を行う前述のＤＦＤ方式の３次元表示装置や、個別の画像を奥行き方向に重ね合わせた２面重畳表示方式の３次元表示装置となる。
【００１８】
図５に示すように、全てが重なり合った状態からＬＣＤパネル２００と偏光板（縦）２２１、偏光板（横）２２３、バックライト２１０を重なり合わない場所までスライドさせることで、ＬＣＤパネル２００とＬＣＤパネル２０１は、各々が従来のＬＣＤディスプレイと同様な構成となり、独立した２面の通常の２次元表示装置として利用することができるようになる。
また、図６に示すように、完全にスライドさせずに重なり合う部分が残っている状態までスライドさせた場合には、重なり合った部分では、ＤＦＤ方式あるいは２面重畳表示方式の３次元表示装置となり、その他の部分は独立した２次元表示装置として利用ができる。
バックライト２１０は、透過型のバックライトを利用せずに不透過な通常のバックライトを利用し、３次元表示の時は１つのバックライトのみで輝度を増加させ、２次元表示の時にはバックライトの輝度を低下させる、あるいは明るい２次元表示を行うなどの構成も考えられる。
このようなスライドさせる構成にすることで、例えば、限られたスペースにディスプレイを搭載する携帯電話機や携帯ゲーム機などの携帯型端末のディスプレイなどに応用することで、２面が必要な３次元表示をしない場合には２面を平面的に展開して２次元表示をすることが可能となり、２面のディスプレイの有効活用が可能となる。
なお、本実施例は、ＬＣＤパネルを用いた例で説明をしたが、偏光を利用しない他の方式による透明なディスプレイ（ＬＥＤデバイスなど）の場合には偏光板は不要である。
【００１９】
［実施例３］
図７は、本発明の実施例３の３次元表示装置の概略構成を示す図である。
本実施例でも、前面用と後面用の表示面として、ＬＣＤパネル３００とＬＣＤパネル３０１を配置し、ＬＣＤパネル３００の両面に偏光軸を直行させた偏光板（３２０，３２１）を配置し、ＬＣＤパネル３０１の両面に偏光軸を直行させた偏光板（３２２，３２３）を配置する。
この時に、ＬＣＤパネル３００とＬＣＤパネル３０１の間に位置する偏光板３２１および偏光板３２２の偏光軸の方向を一致させるように偏光板を配置する。
背面には、バックライト３１０とバックライト３１１の２つのバックライトを重ね合わせて配置する。即ち、ＬＣＤパネルの数が増加することによる輝度の低下を改善するために、バックライトを積層して輝度を増加させる。
バックライト３１０は、背面からの光も透過させることのできる透過型の構造のものとする。透過型のバックライトとしては、側面に配置した光源を導光板にて反射させる構造の導光板方式のバックライトなどが利用できる。
図７に示すように、全てが重なり合った状態で画像を表示すると、前後２面の透過度を変化させて３次元表示を行う前述のＤＦＤ方式の３次元表示装置や、個別の画像を奥行き方向に重ね合わせた２面重畳表示方式の３次元表示装置となる。
【００２０】
図８に示すように、全てが重なり合った状態（折り畳まれた状態）からＬＣＤパネル３００、偏光板（縦）３２０、偏光板（横）３２１、およびバックライト３１１を回転軸を中心に開くことで、ＬＣＤパネル３００とＬＣＤパネル３０１は、各々が従来のＬＣＤディスプレイと同様な構成となり、独立した２面の通常の２次元表示装置として利用することができる。
なお、本実施例において、バックライトについては、回転軸を中心に回転させて展開する以外に、前述の実施例１，２と同様、スライドさせて展開しても構わない。
また、バックライト３１０は、透過型のバックライトを利用せずに不透過な通常のバックライトを利用し、３次元表示の時は１つのバックライトのみで輝度を増加させ、２次元表示の時にはバックライトの輝度を低下させる、あるいは明るい２次元表示を行うなどの構成も考えられる。
このような折り畳む構成にすることで、例えば、限られたスペースにディスプレイを搭載する折り畳み型の携帯電話機や携帯ゲーム機などの携帯型端末のディスプレイなどに応用することで、２面が必要な３次元表示をしない場合には２面を平面的に展開して２倍の面積で２次元表示をすることが可能となり、２面の表示装置の有効活用が可能となる。
なお、本実施例は、ＬＣＤパネルを用いた例で説明をしたが、偏光を利用しない他の方式による透明なディスプレイ（ＬＥＤデバイスなど）の場合には偏光板は不要である。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００２１】
【図１】本発明の実施例１の３次元表示装置の概略構成を示す図である。
【図２】図１に示す状態から、一方のＬＣＤパネルを展開した状態の一例を示す図である。
【図３】図１に示す状態から、一方のＬＣＤパネルを展開した状態の他の例を示す図である。
【図４】本発明の実施例２の３次元表示装置の概略構成を示す図である。
【図５】図４に示す状態から、一方のＬＣＤパネルを展開した状態の一例を示す図である。
【図６】図４に示す状態から、一方のＬＣＤパネルを展開した状態の他の例を示す図である。
【図７】本発明の実施例３の３次元表示装置の概略構成を示す図である。
【図８】図７に示す状態から、一方のＬＣＤパネルを展開した状態の一例を示す図である。
【図９】本発明の基本となる３次元表示装置の概略構成を示す図である。
【図１０】本発明の基本となる３次元表示装置において、各表示面に表示する２Ｄ化像の生成方法を説明するための図である。
【図１１】本発明の基本となる３次元表示装置の表示原理を説明するための図である。
【図１２】本発明の基本となる３次元表示装置の表示原理を説明するための図である。
【図１３】本発明の基本となる３次元表示装置の表示原理を説明するための図である。
【図１４】本発明の基本となる３次元表示装置の表示原理を説明するための図である。
【符号の説明】
【００２２】
１００，１０１，２００，２０１，３００，３０１  液晶表示パネル（ＬＣＤパネル）
１１０，１１１，２１０，２１１，３１０，３１１  バックライト
１２０，１２１，１２２，１２３，２２０，２２１，２２２，２２３，３２０，３２１，３２２，３２３  偏光板
１５０  観察者
１５１，１５２  表示面
１５３  光学系
１５４  ３次元物体
１５５，１５６  ２Ｄ化像
【図１】
2006215256.tif 000003
【図２】
2006215256.tif 000004
【図３】
2006215256.tif 000005
【図４】
2006215256.tif 000006
【図５】
2006215256.tif 000007
【図６】
2006215256.tif 000008
【図７】
2006215256.tif 000009
【図８】
2006215256.tif 000010
【図９】
2006215256.tif 000011
【図１０】
2006215256.tif 000012
【図１１】
2006215256.tif 000013
【図１２】
2006215256.tif 000014
【図１３】
2006215256.tif 000015
【図１４】
2006215256.tif 000016